(57)【要約】【課題】同軸電線の外部導体・外被と外導体端子の圧着部との圧着と、同軸電線の内部導体と外導体端子のコンデンサリードとの圧着とを一度に行える端子圧着装置を提供する。【解決手段】この端子圧着装置１は、同軸電線３の外部導体３ａ・外被３ｂにコンデンサ内蔵型の外導体端子５ａの圧着部５ｂ，５ｃを圧着すると共に、同軸電線３の内部導体３ｃに外導体端子５ａのコンデンサリード５ｄを共圧着端子７ａを介して圧着するものであって、土台１１および該土台１１に対し上下動可能なラム１５と、土台１１に配設された外導体端子圧着用アンビル１７および共圧着端子圧着用アンビル１９と、それぞれ外導体端子圧着用アンビル１７および共圧着端子圧着用アンビル１９に対向する様にラム１５に配設された外導体端子圧着用クリンパ２１および共圧着端子圧着用クリンパ２３とを備える。【選択図】図７
2007026968.tif 000002
【特許請求の範囲】
【請求項１】
同軸電線の外部導体・外被にコンデンサ内蔵型の外導体端子の圧着部を圧着すると共に、前記同軸電線の内部導体に前記外導体端子のコンデンサリードを共圧着端子を介して圧着する端子圧着装置であって、
土台および該土台に対し上下動可能なラムと、
前記土台に配設された外導体端子圧着用アンビルおよび共圧着端子圧着用アンビルと、
それぞれ前記外導体端子圧着用アンビルおよび前記共圧着端子圧着用アンビルに対向する様に前記ラムに配設された外導体端子圧着用クリンパおよび共圧着端子圧着用クリンパとを備え、
前記ラムが上げられた状態で、前記外導体端子圧着用アンビル上および前記共圧着端子圧着用アンビル上にそれぞれ前記外導体端子の圧着部および共圧着端子が載置されると共に、前記各アンビルと前記各クリンパとの間に同軸電線のストリップ部が配置され、その状態で前記ラムが押下されることにより、前記外導体端子圧着用アンビルおよび前記外導体端子圧着用クリンパにより前記同軸電線の外部導体・外被に前記外導体端子の圧着部が圧着されると共に、前記共圧着端子圧着用アンビルおよび前記共圧着端子圧着用クリンパにより前記同軸電線の内部導体に前記外導体端子のコンデンサリードが前記共圧着端子を介して圧着されることを特徴とする端子圧着装置。
【請求項２】
前記共圧着端子が、連鎖帯の片側に複数の共圧着端子が並列状に連成されてなる連鎖状共圧着端子として供給される場合において、
前記土台に配設され、その側面にスリットが切り込まれてなる端子カッタを更に備え、
前記共圧着端子圧着用アンビルは、前記端子カッタの前記側面に沿って上下に摺動可能に前記土台に配設されており、
前記共圧着端子圧着用アンビルが前記端子カッタの前記スリットの位置まで下げられた状態で、前記連鎖状共圧着端子の連鎖帯が前記端子カッタの前記スリット内に挿入される様にして、前記連鎖状共圧着端子の前記共圧着端子が１つ分前記共圧着端子圧着用アンビル上に配置され、その状態で前記共圧着端子圧着用アンビルが上げられることにより、前記共圧着端子圧着用アンビル上に配置する前記共圧着端子が、前記共圧着端子圧着用アンビルのエッジと前記スリットのエッジとにより前記連鎖帯から切り離されて前記共圧着端子圧着用アンビル上に載置されることを特徴とすることを特徴とする請求項１に記載の端子圧着装置。
【請求項３】
前記共圧着端子圧着用アンビルは、
前記共圧着端子が載置されるアンビル本体と、
前記アンビル本体の両側において前記アンビル本体の端子載置面に対し浮上沈下可能に配設され、その浮上状態で前記アンビル本体の端子載置面上に載置された前記共圧着端子を狭持する一対の狭持部とを備えることを特徴とする請求項２に記載の端子圧着装置。
【請求項４】
前記共圧着端子圧着用アンビルは、その上に載置された前記共圧着端子内に前記同軸電線の内部導体を案内するための電線案内部を備えることを特徴とする請求項１〜請求項３の何れかの端子圧着装置。
【発明の詳細な説明】
【技術分野】
【０００１】
本発明は、同軸電線の外部導体・外被にコンデンサ内蔵型の外導体端子の圧着部を圧着すると共に、前記同軸電線の内部導体に前記外導体端子のコンデンサリードを共圧着端子を介して圧着する端子圧着装置に関する。
【背景技術】
【０００２】
同軸電線にコンデンサ内蔵型の外導体端子を接続するには、同軸電線の外部導体・外被に前記外導体端子の圧着部を圧着すると共に、同軸電線の内部導体に前記外導体端子のコンデンサリードを共圧着端子によって圧着する必要がある。そのため、従来では、同軸電線にコンデンサ内蔵型の外導体端子を接続するのに、外導体端子用と共圧着端子用の２種類の端子圧着装置を用いていた。そして通常、先に外導体端子用の端子圧着装置を用いて同軸電線の外部導体・外被に前記外導体端子の圧着部を圧着し、そして共圧着端子用の端子圧着装置を用いて同軸電線の内部導体に外導体端子のコンデンサリードを共圧着端子を介して圧着していた。
【発明の開示】
【発明が解決しようとする課題】
【０００３】
従来では、外導体端子用と共圧着端子用の２種類の端子圧着装置を用いていたので、同軸電線の外部導体・外被と外導体端子の圧着部との圧着と、同軸電線の内部導体と外導体端子のコンデンサリードとの圧着とを一度に行えず、加工工数が多くなるという欠点があった。
【０００４】
また、同軸電線の内部導体に外導体端子のコンデンサリードを共圧着端子を介して圧着する際に、同軸電線の内部導体と外導体端子のコンデンサリードとが共圧着端子内にうまく配置できない場合があるという欠点があった。
【０００５】
そこで、この発明の課題は、第１に、同軸電線の外部導体・外被と外導体端子の圧着部との圧着と、同軸電線の内部導体と外導体端子のコンデンサリードとの圧着とを一度に行える端子圧着装置を提供すること、第２に、圧着の際に確実に同軸電線の内部導体を共圧着端子内に配置できる端子圧着装置を提供することにある。
【課題を解決するための手段】
【０００６】
上記課題を解決する為に、請求項１に記載の発明は、同軸電線の外部導体・外被にコンデンサ内蔵型の外導体端子の圧着部を圧着すると共に、前記同軸電線の内部導体に前記外導体端子のコンデンサリードを共圧着端子を介して圧着する端子圧着装置であって、土台および該土台に対し上下動可能なラムと、前記土台に配設された外導体端子圧着用アンビルおよび共圧着端子圧着用アンビルと、それぞれ前記外導体端子圧着用アンビルおよび前記共圧着端子圧着用アンビルに対向する様に前記ラムに配設された外導体端子圧着用クリンパおよび共圧着端子圧着用クリンパとを備え、前記ラムが上げられた状態で、前記外導体端子圧着用アンビル上および前記共圧着端子圧着用アンビル上にそれぞれ前記外導体端子の圧着部および共圧着端子が載置されると共に、前記各アンビルと前記各クリンパとの間に同軸電線のストリップ部が配置され、その状態で前記ラムが押下されることにより、前記外導体端子圧着用アンビルおよび前記外導体端子圧着用クリンパにより前記同軸電線の外部導体・外被に前記外導体端子の圧着部が圧着されると共に、前記共圧着端子圧着用アンビルおよび前記共圧着端子圧着用クリンパにより前記同軸電線の内部導体に前記外導体端子のコンデンサリードが前記共圧着端子を介して圧着されるものである。
【０００７】
請求項２に記載の発明は、前記共圧着端子が、連鎖帯の片側に複数の共圧着端子が並列状に連成されてなる連鎖状共圧着端子として供給される場合において、前記土台に配設され、その側面にスリットが切り込まれてなる端子カッタを更に備え、前記共圧着端子圧着用アンビルは、前記端子カッタの前記側面に沿って上下に摺動可能に前記土台に配設されており、前記共圧着端子圧着用アンビルが前記端子カッタの前記スリットの位置まで下げられた状態で、前記連鎖状共圧着端子の連鎖帯が前記端子カッタの前記スリット内に挿入される様にして、前記連鎖状共圧着端子の前記共圧着端子が１つ分前記共圧着端子圧着用アンビル上に配置され、その状態で前記共圧着端子圧着用アンビルが上げられることにより、前記共圧着端子圧着用アンビル上に配置する前記共圧着端子が、前記共圧着端子圧着用アンビルのエッジと前記スリットのエッジとにより前記連鎖帯から切り離されて前記共圧着端子圧着用アンビル上に載置されるものである。
【０００８】
請求項３に記載の発明は、前記共圧着端子圧着用アンビルは、前記共圧着端子が載置されるアンビル本体と、前記アンビル本体の両側において前記アンビル本体の端子載置面に対し浮上沈下可能に配設され、その浮上状態で前記アンビル本体の端子載置面上に載置された前記共圧着端子を狭持する一対の狭持部とを備えるものである。
【０００９】
請求項４に記載の発明は、前記共圧着端子圧着用アンビルは、その上に載置された前記共圧着端子内に前記同軸電線の内部導体を案内するための電線案内部を備えるものである。
【発明の効果】
【００１０】
請求項１に記載の発明によれば、土台に外導体端子圧着用アンビルおよび共圧着端子圧着用アンビルが配設され、前記土台に対し上下動可能なラムに外導体端子圧着用クリンパおよび共圧着端子圧着用クリンパがそれぞれ前記外導体端子圧着用アンビルおよび前記共圧着端子圧着用アンビルに対向する様に配設され、前記ラムが上げられた状態で、前記外導体端子圧着用アンビル上および前記共圧着端子圧着用アンビル上にそれぞれ外導体端子の圧着部および共圧着端子が載置されると共に、前記各アンビルと前記各クリンパとの間に同軸電線のストリップ部が配置され、その状態で前記ラムが押下されることにより、前記外導体端子圧着用アンビルおよび前記外導体端子圧着用クリンパにより前記同軸電線の外部導体・外被に前記外導体端子の圧着部が圧着されると共に、前記共圧着端子圧着用アンビルおよび前記共圧着端子圧着用クリンパにより前記同軸電線の内部導体に前記外導体端子のコンデンサリードが前記共圧着端子を介して圧着されるので、１つの端子圧着装置を用いて、同軸電線の外部導体・外被と外導体端子の圧着部との圧着と、同軸電線の内部導体と外導体端子のコンデンサリードとの圧着とを一度に行える。
【００１１】
請求項２に記載の発明によれば、土台にその側面にスリットが切り込まれてなる端子カッタが配設されると共に共圧着端子圧着用アンビルが前記端子カッタの前記側面に沿って上下に摺動可能に配設され、前記共圧着端子圧着用アンビルが前記端子カッタの前記スリットの位置まで下げられた状態で、連鎖状共圧着端子の連鎖帯が前記端子カッタの前記スリット内に挿入される様にして、前記連鎖状共圧着端子の共圧着端子が１つ分前記共圧着端子圧着用アンビル上に配置され、その状態で前記共圧着端子圧着用アンビルが上げられることにより、前記共圧着端子圧着用アンビル上に配置された前記共圧着端子が、前記共圧着端子圧着用アンビルのエッジと前記スリットのエッジとにより前記連鎖帯から切り離されて前記共圧着端子圧着用アンビル上に載置（供給）されるので、即ち、下側から連鎖状共圧着端子を供給し、共圧着端子用アンビルにより共圧着端子を下側からすくい上げつつ連鎖帯から切り離して共圧着端子用アンビル上に載置（供給）させるので、外導体端子と干渉させることなく共圧着端子を供給できる。
【００１２】
請求項３に記載の発明によれば、狭持部により端子載置面上に載置された共圧着端子を狭持するので、端子載置面からの共圧着端子の落下を防止できる。また、狭持部は端子載置面に対し浮上沈下可能に配設されるので、共圧着端子を端子載置面上に載置する際にその狭持部が邪魔になることを防止できる。
【発明を実施するための最良の形態】
【００１３】
この実施の形態に係る端子圧着装置は、図４の様に、同軸電線３の外部導体３ａ・外被３ｂにコンデンサ内蔵型の外導体端子５ａの圧着部５ｂ，５ｃを圧着すると共に、同軸電線３の内部導体３ｃに外導体端子５ａのコンデンサリード５ｄを共圧着端子７ａを介して圧着するものである。
【００１４】
尚、外導体端子５ａは、図４の様に、その内部にコンデンサ５ｅを内蔵して構成され相手端子と接続される筒状の接続部５ｆと、接続部５ｆの後部に連成されコンデンサ５ｅのコンデンサリード５ｄを上下方向に露出配置するリード配置部５ｇと、リード配置部５ｇの後部に連成され同軸電線３の外部導体３ａ・外被３ｂに圧着される圧着部（外部導体用圧着部５ｂ，外被用圧着部５ｃ）とを備えて構成される。
【００１５】
この端子圧着装置１は、図１〜図３，図７の様に、土台１１と、土台１１に固設されたフレーム１３と、フレーム１３に上下動可能に配設されたラム１５と、土台１１に固設された外導体端子圧着用アンビル１７と、土台１１に上下動可能に配設された共圧着端子圧着用アンビル１９と、それぞれ外導体端子圧着用アンビル１７および共圧着端子圧着用アンビル１９に対向する様にラム１５に固設された外導体端子圧着用クリンパ２１および共圧着端子圧着用クリンパ２３と、連鎖状外導体端子５および連鎖状共圧着端子７をそれぞれ各アンビル１７，１９側に案内するガイド部材２５と、ラム１５の上下動に応じて連鎖状外導体端子５をガイド部材２５に沿って外導体端子圧着用アンビル１７側に送り込む外導体端子用送り機構２７と、ラム１５の上下動に応じて連鎖状共圧着端子７をガイド部材２５に沿って共圧着端子圧着用アンビル１９側に送り込む共圧着端子用送り機構２９と、ラム１５の上下動に応じて、外導体端子用送り機構２７により送り込まれる連鎖状外導体端子５から外導体端子５ａを１つ切り離して外導体端子圧着用アンビル１７上に載置する外導体端子用端子カッタ３１と、ラム１５の上下動に応じて、共圧着端子用送り機構２９により送り込まれる連鎖状共圧着端子７から共圧着端子７ａを１つ切り離して共圧着端子圧着用アンビル１９上に載置する共圧着端子用端子カッタ３３と、ラム１５の下／上動に応じて共圧着端子圧着用アンビル１９を上／下動させるアンビル上下動機構３５とを備える。
【００１６】
ここでは、連鎖状外導体端子５は、図５の様に、帯状の連鎖帯５ｈの片側に複数の外導体端子５ａが等間隔で並列状に連成されて形成される。連鎖帯５ｈには、各外導体端子５ａに対応して等間隔に係止孔５ｉが形成される。各外導体端子５ａは、その圧着部５ｂ，５ｃである圧着片が略Ｕ字状に拡げられた状態で、その圧着部５ｃの後端において連鎖帯５ｈに連成される。
【００１７】
また、連鎖状共圧着端子７は、図６の様に、帯状の連鎖帯７ｂの片側に複数の共圧着端子７ａが等間隔で並列状に連成されて形成される。連鎖帯７ｂには、各共圧着端子７ａに対応して等間隔に係止孔７ｃが形成される。各共圧着端子７ａは、断面略Ｕ字状に形成され、その後部において連鎖帯７ｃに連成される。
【００１８】
ラム１５は、図１〜図３の様に、その上面に、動力源からの押下力をラム１５に伝達するためのプレスラム（図示省略）が装着される装着溝１５ａが形成され、その両側に腕部１５ｂ，１５ｃが側方に突出形成され、その下面に各クリンパ２１，２３が配設される。右腕部１５ｃの前面にはカム突起１５ｄが突設され、左腕部１５ｂの前面にはカム突起１５ｅ（図２）が突設され、左腕部１５ｂの後面にはカム突起１５ｆ（図３）が突設される。
【００１９】
外導体端子圧着用アンビル１７は、図２および図７の様に、外導体端子用端子カッタ３１の後側に配置された外被用アンビル１７ａと、外被用アンビル１７ａの後側に配置された外部導体用アンビル１７ｂとから構成される。
【００２０】
外導体端子圧着用クリンパ２１は、図２および図７の様に、外被用アンビル１７ａに対向配置する外被用クリンパ２１ａと、外部導体用アンビル１７ｂに対向配置する外部導体用クリンパ２１ｂとから構成される。
【００２１】
共圧着端子圧着用アンビル１９は、図３，図７および図８の様に、共圧着端子７ａが載置されるアンビル本体１９ａと、アンビル本体１９ａに対し相対的に上下動可能に配設され、アンビル本体１９ａ上に載置された共圧着端子７ａを両側から狭持すると共にその共圧着端子７ａ内に同軸電線３の内部導体３ｃを案内する狭持案内部１９ｂと、狭持案内部１９ｂをアンビル本体１９ａに対して上方に付勢するバネ１９ｃ（図８）と、アンビル本体１９ａを下方に付勢するバネ１９ｓ（図７）と、連鎖状共圧着端子７の連鎖帯５ｈを切断するための刃部材１９ｄとを備える。
【００２２】
アンビル本体１９ａは、共圧着端子７ａを載置する棒状の端子載置部１９ｅ（その上端面が端子載置面１９ｆ）を有するブロック部１９ｇと、ブロック部１９ｇの後面に配設されたガイドローラ１９ｈとを備える。
【００２３】
ブロック部１９ｇは、略立方体状に形成されており、その前面にその上面で開放する様に逆Ｔ字溝１９ｉが形成され、その逆Ｔ字溝１９ｉの縦溝部分の底面に、その中央に長手方向に沿って突条形成されると共にブロック部１９ｇの上面における溝１９ｉの開放部から上方に突出する様に、上記の端子載置部１９ｅが形成される。
【００２４】
また、ブロック部１９ｇの逆Ｔ字溝１９ｉの横溝部分の底面の左端部分には、ブロック部１９ｇの後面側に貫通する様に、狭持案内部１９ｂの後述の浮沈レバー１９ｑを上下動可能に挿通させるための挿通孔１９ｊが形成される。また、ブロック部１９ｇの上面には、上記の刃部材１９ｄが上方に突出する様に形成される。
【００２５】
狭持案内部１９ｂは、端子載置部１９ｅの両側において端子載置面１９ｆに対し浮上沈下可能に配設された共圧着端子狭持用の一対の棒状の狭持部１９ｋと、一対の狭持部１９ｋの前面に一体的に跨設され、その先端に電線案内用の略Ｖ字状の切り込み１９ｍが形成された板状の電線案内部１９ｎと、当該狭持案内部１９ｂの下部の両側から側方に突出形成されたフランジ部１９ｐと、左側のフランジ部１９ｐから後方に突出する様に設けられた浮沈レバー１９ｑ（図７）とを備える。
【００２６】
この狭持案内部１９ｂは、その狭持部１９ｋおよび電線案内部１９ｎがアンビル本体１９ａのブロック部１９ｇの逆Ｔ字溝１９ｉの縦溝部分内に摺動可能に嵌合配置され、そのフランジ部１９ｐが逆Ｔ字溝１９ｉの横溝部分内に上下動可能に配置され、その浮沈レバー１９ｑがブロック部１９ｇの逆Ｔ字溝１９ｉの底面に形成された挿通孔１９ｊを上下動可能に通してブロック部１９ｇの後面から突出配置される様にして配設される。
【００２７】
バネ１９ｃは、その下端が逆Ｔ字溝１９ｉの下側側面に設けられた孔１９ｔ内に収容保持され、その上端が狭持案内部１９ｂのフランジ部１９ｐの下面に設けられた孔１９ｕ内に収容保持される様にして配設される。
【００２８】
バネ１９ｓは、その下端部がブロック部１９ｇの上面に形成された穴１９ｒ内に収容保持され、その上端部が後述の共圧着端子用端子カッタ３３の下面に形成された穴３３ａ内に収容保持される様にして配設される。
【００２９】
この共圧着端子圧着用アンビル１９では、アンビル本体１９ａの浮沈レバー１９ｑが押下されると、狭持案内部１９ｂのフランジ部１９ｐが逆Ｔ字溝１９ｉの下側側面まで降下し、これに伴って、狭持案内部１９ｂの狭持部１９ｋがアンビル本体１９ａの端子載置面１９ｆまで沈下されると共に、狭持案内部１９ｂの電線案内部１９ｎが狭持部１９ｋと共に降下される。他方、浮沈レバー１９ｑの押下が解除されると、バネ１９ｃにより浮沈レバー１９ｑが上方に復帰されて、狭持案内部１９ｂのフランジ部１９ｐが逆Ｔ字溝１９ｉの横溝部分の上側側面まで上げられ、これに伴って、狭持案内部１９ｂの狭持部１９ｋがアンビル本体１９ａの端子載置面１９ｆから浮上して端子載置面１９ｆ上に載置された共圧着端子７ａを両側から狭持すると共に、狭持案内部１９ｂの電線案内部１９ｎが狭持部１９ｋと共に上昇される。この様に、浮沈レバー１９ｑの押下／その解除に伴って、狭持部１９ｋが端子載置部１９ｅの端子載置面１９ｆに対して沈下／浮上する。
【００３０】
共圧着端子圧着用クリンパ２３は、図３，図７および図９の様に、その下端に共圧着端子７ａを圧着するための切り込み２３ａが形成されると共に、共圧着端子圧着用アンビル１９の狭持部１９ｋが嵌合する嵌合溝２３ｂ（図７）が切り込まれて形成される。
【００３１】
尚、共圧着端子圧着用クリンパ２３の後側には、図７および図９の様に、外導体端子５ａのリード配置部５ｇおよびコンデンサリード５ｄを位置決めするためのリード位置決め用クリンパ３７が配設され、その後側には、外導体端子５ａの接続部５ｆを位置決めするための接続部位置決め用クリンパ３９が配設される。リード位置決め用クリンパ３７は、その下端に外導体端子５ａのリード配置部５ｇの側壁を位置決めするための切り込み３７ａおよび外導体端子５ａのコンデンサリード５ｄを位置決めする切り込み３７ｂが切り込まれて形成される。また、接続部位置決め用クリンパ３９は、その下端に外導体端子５ａの接続部５ｆを位置決めするための凹状ガイド溝３９ａおよび凹状溝３９ａの底部に突設され外導体端子５ａの接続部５ｆの孔５ｊに嵌合する突起部３９ｂが形成される。
【００３２】
外導体端子用端子カッタ３１は、図２および図７の様に、土台１１に固設された台部３１ａと、外被用アンビル１７ａの前面（側面）に沿って上下に摺動可能に台部３１ａに配設されたカッタ部３１ｂと、カッタ部３１ｂを上方に付勢するバネ３１ｃとを備える。
【００３３】
カッタ部３１ｂは、略直方体状に形成され、その後面には連鎖状外導体端子５の連鎖帯５ｈを挿通させるスリット３１ｄが水平に切り込まれ、その上面には同軸電線３が載置される窪み部３１ｅが形成されると共にラム１５側の押圧部１５ｆ（図２）により押圧される被押圧部３１ｇが形成され、その下面には、バネ３１ｃの上半部を収容保持する筒部３１ｆが形成される。尚、スリット３１ｄの挿入側の上下幅は、連鎖帯５ｈの挿入を容易にすべく挿入端側に行くほど漸次拡げられている。
【００３４】
この外導体端子用端子カッタ３１では、カッタ部３１ｂの被押圧部３１ｇが押圧されない状態では、カッタ部３１ｂがバネ３１ｃにより上方に付勢されてカッタ部３１ｂのスリット３１ｄが外被用アンビル１７ａより上に配置される。そしてこの状態で、スリット３１ｄ内に連鎖帯５ｈが挿通される様にして連鎖状外導体端子５が送り込まれる。そしてこの状態で、カッタ部３１ｂの被押圧部３１ｇが押圧されてカッタ部３１ｂが押下されると、カッタ部３１ｂのスリット３１ｄが外被用アンビル１７ａの上面より下に下げられ、これによりスリット３１ｄのエッジと外被用アンビル１７ａとのエッジとによりスリット３１ｄ内の連鎖帯５ｈから外導体端子５ａが切り離される。この様にして連鎖状外導体端子５の連鎖帯５ｈから外導体端子５ａが切り離される。
【００３５】
共圧着端子用端子カッタ３３は、図３，図７および図８の様に、例えば略立方体状のブロック体状に形成され、その前面には、連鎖状共圧着端子７の連鎖帯７ｂが挿入されるスリット３３ｂが水平に切り込まれている。尚、スリット３３ｂの挿入側の上下幅は、連鎖帯７ｂの挿入を容易にすべく挿入端側に行くほど漸次拡げられている。
【００３６】
そして、この共圧着端子用端子カッタ３３は、その前面に沿って共圧着端子圧着用アンビル１９の端子載置部１９ｅが上下に摺動可能となると共に、その一方の側面（スリット３３ｂの送出側開放口側の側面）に沿って刃部材１９ｄが上下に摺動可能となる様に、土台１１に固設される。
【００３７】
この共圧着端子用端子カッタ３３では、共圧着端子圧着用アンビル１９が最下端まで下げられると、共圧着端子圧着用アンビル１９の端子載置部１９ｅおよび刃部材１９ｄが共圧着端子用端子カッタ３３のスリット３３ｂより下に配置される。そしてこの状態で、スリット３３ｂ内に連鎖帯７ｂが挿通される様にして連鎖状の共圧着端子７ａが端子載置部１９ｅ上に配置される。そしてこの状態で、共圧着端子圧着用アンビル１９が最上端まで上げられると、（１）共圧着端子圧着用アンビル１９の端子載置面１９ｆが共圧着端子用端子カッタ３３のスリット３３ｂより上に上がり、これによりスリット３３ｂのエッジと端子載置部１９ｅのエッジとにより端子載置部１９ｅ上の共圧着端子７ａがスリット３３ｂ内の連鎖帯７ｂから切り離されると共に、（２）刃部材１９ｄの先端がスリット３３ｂより上に上がり、これによりスリット３３ｂの送出側開放口のエッジと刃部材１９ｄのエッジとによりスリット３３ｂの送出側開放口から送出された不要な連鎖帯７ｂが切断される。
【００３８】
ガイド部材２５は、図１〜図３の様に、底板部２５ａを有し、その上面の両側に連鎖状外導体端子５をガイドするためのガイド部２５ｂが突設されると共に、その上面の略中央に長手方向に沿って連鎖状共圧着端子７をガイドするためのガイド溝２５ｃが凹設され、また、その下面には、連鎖状共圧着端子７の連鎖帯７ｂの係止孔７ｃを露出させるための開口窓２５ｄが形成される。
【００３９】
このガイド部材２５は、その一端側が外側に突出され、その他端側がアンビル１７，１９側に向けられて土台１１に固設される。
【００４０】
このガイド部材２５では、底板部２５ａ上に連鎖状外導体端子５が載せられ、その連鎖状外導体端子５をガイド部２５ｂに沿ってアンビル１７，１９側に案内する（即ち、その連鎖状外導体端子５を、その連鎖帯５ｈが外導体端子用端子カッタ３１のスリット３３ｂ内に挿通され、その各外導体端子５ａの各圧着部５ｂ，５ｃが外導体端子圧着用アンビル１７（１７ｂ，１７ａ）上に配置され、その各外導体端子５ａのリード配置部５ｇが共圧着端子圧着用アンビル１９上に配置される様にしてアンビル１７，１９側に案内する）。
【００４１】
また、このガイド部材２５では、底板部２５ａのガイド溝２５ｃ内に連鎖状共圧着端子７が載せられ、その連鎖状共圧着端子７をガイド溝２５ｃに沿って共圧着端子圧着用アンビル１９側に案内する（即ち、その連鎖状共圧着端子７を、その連鎖帯７ｂが共圧着端子用端子カッタ３３のスリット３３ｂ内に挿通され、その各共圧着端子７ａがアンビル１９の端子載置部１９ｅ上に配置される様にしてアンビル１９側に案内する）。
【００４２】
外導体端子用送り機構２７は、図１および図２の様に、その上端部がフレーム１３の一方の肩部の軸部１３ａに左右に揺動可能に配設されたアーム（以後、左前アーム）２７ａと、左前アーム２７ａの下端の軸部２７ｂに上下に揺動可能に配設された送り爪部材２７ｃと、左前アーム２７ａと送り爪部材２７ｃの基端部とに跨設されて送り爪部材２７ｃの先端を下方に付勢させるバネ２７ｄとを備える。左前アーム２７ａの後面にはカム溝２７ｅが凹設され、そのカム溝２７ｅ内には、ラム１５の腕部１５ｂの前面に突設されたカム突起１５ｅが配置される。
【００４３】
この外導体端子用送り機構２７では、例えば、ラム１５の上／下動に伴ってラム１５のラム突起１５ｅが左前アーム２７ａのラム溝２７ｅ内を上／下動し、それに伴って左前アーム２７ａが右／左に揺動される。そして、左前アーム２７ａが右に振れる毎に、送り爪部材２７ｃの先端がガイド部材２５上に載せられた連鎖状外導体端子５の連鎖帯５ｈの係止孔５ｉに上側から引っ掛かって、連鎖状外導体端子５が外導体端子５ａ１つ分アンビル１７，１９側に送り込まれる。
【００４４】
共圧着端子用送り機構２９は、図１および図３の様に、その上端部がフレーム１３の一方の肩部の軸部１３ａに左右に揺動可能に配設されたアーム（以後、左後アーム）２９ａと、左後アーム２９ａの下端の軸部２９ｂ回りに上下に揺動可能に配設された送り爪部材２９ｃと、送り爪部材２９ｃの先端を上方に付勢させるバネ２９ｄとを備える。左後アーム２９ａの前面にはカム溝２９ｅが凹設され、そのカム溝２９ｅ内には、ラム１５の腕部１５ｂの後面に突設されたカム突起１５ｆが配置される。
【００４５】
この共圧着端子用送り機構２９では、例えば、ラム１５の上／下動に伴ってラム１５のラム突起１５ｆが左後アーム２９ａのラム溝２９ｅ内を上／下動し、それに伴って左後アーム２９ａが左／右に揺動される。そして、左後アーム２９ａが右に振れる毎に、送り爪部材２９ｃの先端が、ガイド部材２５のガイド溝２５ｃ内に載せられた連鎖状共圧着端子７の連鎖帯７ｂの係止孔７ｃに、下側からガイド部材２５の下面の開口窓２５ｄを介して引っ掛かって、連鎖状共圧着端子７が共圧着端子７ａ１つ分共圧着端子圧着用アンビル１９側に送り込まれる。
【００４６】
アンビル上下動機構３５は、図３および図８の様に、その上端部がフレーム１３の他方の肩部の軸部１３ｂに左右に揺動可能に配設されたアーム（以後、右アーム）３５ａと、土台１１上に左右に摺動可能に配置され、その一端部がアーム３５ａの下端の軸部３５ｉに回動可能に配設され、他方、その他端部に共圧着端子圧着用アンビル１９のガイドローラ１９ｈをガイドする斜面（ガイド斜面）３５ｂが形成されたくさび状部材３５ｃと、くさび状部材３５ｃの後面からガイド斜面３５ｂ側（左側）に突出状に連結され、その先端部が例えば上方に屈曲された水平アーム３５ｄと、略逆Ｌ字状に形成され、その基端部が土台１１に固設された所定の部材の軸部３５ｅに左右に揺動可能に配設され、その先端が共圧着端子圧着用アンビル１９の浮沈レバー１９ｑ上に押下可能に配置され、その屈曲部の例えば後面に水平アーム３５ｄの先端に係合する係止突起３５ｆが突設された略逆Ｌ字アーム３５ｇとを備える。右アーム３５ａの前面にはカム溝３５ｈが凹設され、そのカム溝３５ｈ内には、ラム１５の腕部１５ｃの後面に突設されたカム突起１５ｄが配置される。
【００４７】
このアンビル上下動機構３５では、例えば、ラム１５の上／下動に伴ってラム１５のラム突起１５ｄがアーム３５ａのラム溝３５ｈ内を上／下動し、それに伴って右アーム３５ａが右／左に揺動される。
【００４８】
そして、右アーム３５ａが右に振れると、くさび状部材３５ｃおよび水平レバー３５ｄが共に右に移動される。そしてその際のくさび状部材３５ｃの右への移動により共圧着端子圧着用アンビル１９のガイドローラ１９ｈがくさび状部材３５ｃのガイド斜面３５ｂに沿って降下して共圧着端子圧着用アンビル１９が降下される。また、その際の水平アーム３５ｄの右への移動により水平アーム３５ｄの先端部によって略逆Ｌ字アーム３５ｇの係止突起３５ｆが右に押されて略逆Ｌ字アーム３５ｇが右側に押回され、これにより略逆Ｌ字アーム３５ｇの先端によって共圧着端子圧着用アンビル１９の後面から突出する浮沈レバー１９ｑが押下される（この押下により共圧着端子圧着用アンビル１９の狭持部１９ｋが共圧着端子圧着用アンビル１９の端子載置面１９ｆまで沈下される）。
【００４９】
他方、右アーム３５ａが左に振れると、くさび状部材３５ｃおよび水平レバー３５ｄが共に左に移動される。そして先ず、その際の水平レバー３５ｄの左への移動により水平レバー３５ｄによる略逆Ｌ字アーム３５ｇの右側への押回が解除され、この解除により逆Ｌ字アーム３５ａによる共圧着端子圧着用アンビル１９の浮沈レバー１９ｑの押下が解除される（この解除により共圧着端子圧着用アンビル１９の狭持部１９ｋが共圧着端子圧着用アンビル１９の端子載置面１９ｆより浮上される）。そして次に、その際のくさび状部材３５ｃの左への移動により共圧着端子圧着用アンビル１９のガイドローラ１９ｈがくさび状部材３５ｃのガイド斜面３５ｂに沿って上昇されて共圧着端子圧着用アンビル１９が上昇される。この様にアーム３５ａが左に振れると、先ず共圧着端子圧着用アンビル１９の狭持部１９ｋが共圧着端子圧着用アンビル１９の端子載置面１９ｆより浮上され、次いで共圧着端子圧着用アンビル１９全体が上昇される。
【００５０】
次にこの端子圧着装置１の動作を説明する。
【００５１】
ガイド部材２５には、図１および図２の様に、その底板部２５ａ上に連鎖状外導体端子５が載せられ、そのガイド溝２５ｃ内に連鎖状共圧着端子７が載せられる。
【００５２】
図２および図３を参照して、ラム１５が最下端まで下げられた状態から始めると、この状態では左前アーム２７ａおよび左後アーム２９ａは共に左に振れ、右アーム３５ａは右に振れる。
【００５３】
そして、この状態からラム１５が最上端まで上がげられると、左前アーム２７ａおよび左後アーム２９ａは共に右に振れ、右アーム３５ａは左に振れる。
【００５４】
そして、図７を参照して、その際の左前アーム２７ａの右への振れにより、左前アーム２７ａに配設された送り爪部材２７ｃによりガイド部材２５上の連鎖状外導体端子５が外導体端子５ａ１つ分送り出されて、その各圧着部５ｂ，５ｃが各アンビル１７ｂ，１７ａ上に配置され、そのリード配置部５ｇがアンビル１９上に配置され、連鎖状外導体端子５の連鎖帯５ｈが外導体端子用端子カッタ３１のスリット３１ｄ内に挿通される様にして外導体端子圧着用アンビル１７上に供給される。
【００５５】
そしてこれに併行して、図３および図８を参照して、その際の右アーム３５ａの右への振れによりくさび状部材３５ｃおよび水平レバー３５ｄが共に右に移動され、これにより共圧着端子圧着用アンビル１９がくさび状部材３５ｃのガイド斜面３５ｂに沿って最下端まで（即ち共圧着端子圧着用アンビル１９の端子載置面１９ｆが共圧着端子用端子カッタ３３のスリット３３ｂより下に来るまで（図７参照））降下されると共に、共圧着端子圧着用アンビル１９の浮沈レバー１９ｑが略逆Ｌ字アーム３５ｇを介して水平レバー３５ｄにより押下されて共圧着端子圧着用アンビル１９の狭持部１９ｋが共圧着端子圧着用アンビル１９の端子載置面１９ｆまで沈下される。尚、共圧着端子圧着用アンビル１９が最下端まで降下された状態では、共圧着端子圧着用アンビル１９に配設された刃部材１９ｄも共圧着端子用端子カッタ３３のスリット３３ｂより下に降下される。
【００５６】
そしてこの状態で、図２および図７を参照して、同軸電線３の内部導体３ｃ，外部導体３ａおよび外被３ｂがそれぞれ外導体端子圧着用アンビル１７上の連鎖状の外導体端子５ａのリード配置部５ｇ，外部導体用圧着部５ｂおよび外被用圧着部５ｃ上に配置されると共に、同軸電線３が外導体端子用端子カッタ３１の窪み部３１ｅ上に配置される様にして、同軸電線３のストリップ部が各アンビル１７，１９および各クリンパ２１，２３間に配置される。
【００５７】
そして、この状態でラム１５を最下端まで下げられると、左前アーム２７ａおよび右アーム３５ａが共に左に振れ、左後アーム２９ａが右に振れる。
【００５８】
すると先ず、その際の左後アーム２９ａの右への振れにより、図３および図７を参照して、左後アーム２９ａに配設された送り爪部材２９ｃによりガイド部材２５上の連鎖状共圧着端子７が共圧着端子７ａ１つ分送り出されて、連鎖状共圧着端子７の連鎖帯７ｂが共圧着端子用端子カッタ３３のスリット３３ｂ内に挿通される様にして共圧着端子圧着用アンビル１９上に供給される。
【００５９】
そして次に、図３，図７および図８を参照して、その際の右アーム３５ａの左への振れによりくさび状部材３５ｃおよび水平レバー３５ｄが共に左に移動され、これにより先ず略逆Ｌ字アーム３５ｇを介しての水平レバー３５ｄによる共圧着端子圧着用アンビル１９の浮沈レバー１９ｑの押下が解除され、この解除により共圧着端子圧着用アンビル１９の狭持部１９ｋが共圧着端子圧着用アンビル１９の端子載置面１９ｆから浮上し、その浮上した狭持部１９ｋにより端子載置部１９ｅ上の連鎖状の共圧着端子７ａが狭持される。そして、その狭持状態で共圧着端子圧着用アンビル１９全体がくさび状部材３５ｃの斜面に沿って最上端まで上昇されると共に、共圧着端子圧着用アンビル１９に連結された刃部材１９ｄも上昇される。そしてその上昇の際に、共圧着端子用端子カッタ３３のスリット３３ｂのエッジと共圧着端子圧着用アンビル１９の端子載置部１９ｅのエッジとにより端子載置部１９ｅ上の連鎖状の共圧着端子７ａがスリット３３ｂ内の連鎖帯７ｂから切り離されて端子載置部１９ｅ上に単体で狭持部１９ｋにより保持された状態で載置されると共に、共圧着端子用端子カッタ３３のスリット３３ｂを通過した不要な連鎖帯７ｂがスリット３３ｂのエッジと刃部材１９ｄのエッジとにより切断される。そして、共圧着端子圧着用アンビル１９が最上端まで上昇されると、共圧着端子圧着用アンビル１９の端子載置部１９ｅ上に載置された共圧着端子７ａが、その内側に外導体端子５ａ側のコンデンサリード５ｄを収容する様にして外導体端子圧着用アンビル１７上の連鎖状の外導体端子５ａのリード配置部５ｇ内に配置されると共に、同軸電線３の内部導体３ｃを共圧着端子７ａ内に案内するべく共圧着端子圧着用アンビル１９の電線案内部１９ｎの先端部が外導体端子５ａのリード配置部５ｇ内に配置される。
【００６０】
そしてこれらの動作に併行してラム１５の降下により、図２および図７を参照して、ラム１５側の押圧部１５ｆにより外導体端子用端子カッタ３１のカッタ部３１ｂの被押圧部３１ｇが押下されてカッタ部３１ｂが降下され、この降下によりカッタ部３１ｂのスリット３３ｂのエッジと外被用アンビル１７ａのエッジとにより外導体端子圧着用アンビル１７上の連鎖状の外導体端子５ａがスリット３３ｂ内の連鎖帯５ｈから切り離されて外導体端子圧着用アンビル１７上に単体で載置される。また、ラム１５側の各位置決め用クリンパ３７および３９により外導体端子圧着用アンビル１７上の外導体端子５ａのリード配置部５ｇ・コンデンサリード５ｄおよび接続部５ｆが位置決めされる。
【００６１】
そして、ラム１５が最下端まで下がると、（１）外導体端子圧着用クリンパ２１と外導体端子圧着用アンビル１７により同軸電線３の外部導体３ａ・外被３ｂに外導体端子５ａの圧着部５ｂ，５ｃが圧着されると共に、（２）共圧着端子圧着用クリンパ２３と共圧着端子圧着用アンビル１９とにより同軸電線３の内部導体３ｃに外導体端子５ａのコンデンサリード５ｄが共圧着端子７ａを介して圧着される。この様にして同軸電線３に外導体端子５ａが接続される。
【００６２】
尚、上記（２）の圧着では、共圧着端子圧着用アンビル１９の狭持部１９ｋが共圧着端子圧着用クリンパ２３の嵌合溝２３ｂ内に嵌合する様にして、共圧着端子圧着用クリンパ２３の切り込み２３ａの底部分と共圧着端子圧着用アンビル１９の端子載置部１９ｅとにより同軸電線３の内部導体３ｃに外導体端子５ａのコンデンサリード５ｄが共圧着端子７ａを介して圧着される。
【００６３】
以上の様に構成された端子圧着装置１によれば、土台１１に外導体端子圧着用アンビル１７および共圧着端子圧着用アンビル１９が配設され、土台１１に対し上下動可能なラム１５に外導体端子圧着用クリンパ２１および共圧着端子圧着用クリンパ２３がそれぞれ外導体端子圧着用アンビル１７および共圧着端子圧着用アンビル１９に対向する様に配設され、ラム１５が上げられた状態で、外導体端子圧着用アンビル１７上および共圧着端子圧着用アンビル１９上にそれぞれ外導体端子５ａの圧着部５ｂ，５ｃおよび共圧着端子７ａが載置されると共に、各アンビル１７，１９と各クリンパ２１，２３との間に同軸電線３のストリップ部が配置され、その状態でラム１５が押下されることにより、外導体端子圧着用アンビル１７および外導体端子圧着用クリンパ２１により同軸電線３の外部導体３ａ・外被３ｂに外導体端子５ａの圧着部５ｂ，５ｃが圧着されると共に、共圧着端子圧着用アンビル１９および共圧着端子圧着用クリンパ２３により同軸電線３の内部導体３ｃに外導体端子５ａのコンデンサリード５ｄが共圧着端子７ａを介して圧着されるので、１つの端子圧着装置１を用いて、同軸電線３の外部導体３ａ・外被３ｂと外導体端子５ａの圧着部５ｂ，５ｃとの圧着と、同軸電線３の内部導体３ｃと外導体端子５ａのコンデンサリード５ｄとの圧着とを一度に行える。
【００６４】
また、土台１１にその側面（前面）にスリット３３ｂが切り込まれてなる端子カッタ（共圧着端子用端子カッタ）３３が配設されると共に共圧着端子圧着用アンビル１９が端子カッタ３３の前記側面に沿って上下に摺動可能に配設され、共圧着端子圧着用アンビル１９が端子カッタ３３のスリット３３ｂの位置まで下がった状態で、連鎖状共圧着端子７の連鎖帯７ｂが端子カッタ３３のスリット３３ｂ内に挿入される様にして、連鎖状共圧着端子７の共圧着端子７ａが１つ分共圧着端子圧着用アンビル１９上に配置され、その状態で共圧着端子圧着用アンビル１９が上げられることにより、共圧着端子圧着用アンビル１９上に配置する共圧着端子７ａが、共圧着端子圧着用アンビル１９のエッジとスリット３３ｂのエッジとにより連鎖帯７ｂから切り離されて共圧着端子圧着用アンビル１９上に載置されるので、即ち、下側から連鎖状共圧着端子７を供給し、共圧着端子圧着用アンビル１９により連鎖状の共圧着端子７ａを下側からすくい上げつつ連鎖帯７ｂから切り離して共圧着端子圧着用アンビル１９上に載置（供給）させるので、外導体端子５ａと干渉させることなく共圧着端子７ａを供給できる。
【００６５】
また、狭持部１９ｋにより端子載置面１９ｆ上に載置された共圧着端子７ａを狭持するので、端子載置面１９ｆからの共圧着端子７ａの落下を防止できる。また、狭持部１９ｋは端子載置面１９ｆに対し浮上沈下可能に配設されるので、共圧着端子７ａを端子載置面１９ｆ上に載置する際にその狭持部１９ｋが邪魔になることを防止できる。
【００６６】
また、共圧着端子圧着用アンビル１９は、その上に載置された共圧着端子７ａ内に同軸電線３の内部導体３ｃを案内するための電線案内部１９ｎを備えるので、その電線案内部１９ｎにより、圧着の際に同軸電線３の内部導体３ｃを共圧着端子７ａ内に確実に配置できる。
【図面の簡単な説明】
【００６７】
【図１】本発明の実施の形態に係る端子圧着装置の構成図の平面図である。
【図２】図１のII方向矢示図（正面図）である。
【図３】図１のIII-III断面図である。
【図４】コンデンサ内蔵型の外導体端子の平面図である。
【図５】連鎖状外導体端子の平面図である。
【図６】連鎖状共圧着端子の平面図である。
【図７】図２のIIV-IIV断面図である。
【図８】図３の部分拡大図である。
【図９】図３の他の部分拡大図である。
【符号の説明】
【００６８】
１  端子圧着装置
３  同軸電線
３ａ  外部導体
３ｂ  外被
３ｃ  内部導体
５    連鎖状外導体端子
５ａ  外導体端子
５ｂ  外部導体用圧着部
５ｃ  外被用圧着部
５ｄ  コンデンサリード
５ｈ  連鎖帯
７    連鎖状共圧着端子
７ａ  共圧着端子
７ｂ  連鎖帯
１１  土台
１３  フレーム
１５  ラム
１７  外導体端子圧着用アンビル
１７ａ  外被用アンビル
１７ｂ  外部導体用アンビル
１９  共圧着端子圧着用アンビル
１９ａ  アンビル本体
１９ｂ  狭持案内部
１９ｅ  端子載置部
１９ｆ  端子載置面
１９ｋ  狭持部
１９ｎ  電線案内部
２１  外導体端子圧着用クリンパ
２１ａ  外被用クリンパ
２１ｂ  外部導体用クリンパ
２３  共圧着端子圧着用クリンパ
２７  外導体端子用送り機構
２７ａ  左前アーム
２７ｃ  送り爪部材
２９  共圧着端子用送り機構
２９ａ  左後アーム
２９ｃ  送り爪部材
３１  外導体端子用端子カッタ
３１ａ  台部
３１ｂ  カッタ部
３１ｄ  スリット
３３  共圧着端子用端子カッタ
３５  アンビル上下動機構
３５ａ  右アーム
３５ｂ  ガイド斜面
３５ｃ  くさび状部材
３５ｄ  水平アーム
３５ｆ  係止突起
３５ｇ  略逆Ｌ字アーム
【図１】
2007026968.tif 000003
【図２】
2007026968.tif 000004
【図３】
2007026968.tif 000005
【図４】
2007026968.tif 000006
【図５】
2007026968.tif 000007
【図６】
2007026968.tif 000008
【図７】
2007026968.tif 000009
【図８】
2007026968.tif 000010
【図９】
2007026968.tif 000011